(57)【要約】【課題】  学校やコンビニエンスストアなどにおいて、賊が押し入った場合に、これを取り押さえもしくは安全に退避できるような刺股状の捕り物具に関する。【解決手段】  本発明に係る捕り物具は、長い柄杆１の先端に装着して使用する。賊を捕らえるための右アーム３及び左アーム４は、バネ材など弾性を有する線材もしくは板材で形成し前方に向けて突出させる。前方に突出する左右のアームは、前方部分を後方の中心方向に向けて傾斜する状態に折り返して第一折り返し辺５，６を形成する。さらに、左右両側から折り返した第一折り返し辺５，６が、捕らえようとする対象の大きさよりも狭く接近した位置で、先端部を側方に向けて折り返して第二折り返し辺７，８を形成する。第二折り返し辺には滑り止め手段を形成し、賊の逃げ出しを防止する。【選択図】  図１
2006343068.tif 000002
【特許請求の範囲】
【請求項１】
バネ材など、弾性を有する線材もしくは板材で形成し左右両側から前方に向けて突出させたアームの前方部分を後方の中心方向に向けて傾斜する状態に折り返して第一折り返し辺を形成し、左右両側から折り返した第一折り返し辺が、捕らえようとする対象の大きさよりも狭く接近した位置で、先端部を側方に向けて折り返して第二折り返し辺を形成し、第二折り返し辺の表面に滑り止め手段を形成したことを特徴とする捕り物具。
【請求項２】
第一折り返し辺の先端を側方に向けて折り返す第二折り返し辺の折り返し方向は、真横方向よりも後方に向けて傾斜する角度で形成することを特徴とする請求項１記載の捕り物具。
【請求項３】
捕り物具本体のうち、第一折り返し片を細幅に形成して撓み易く形成したことを特徴とする請求項１又は２記載の捕り物具。
【請求項４】
第二折返し片の先端が拘束した賊に向けて突出しないように内側へ向けて湾曲させるとともに、捕り物具本体の内面にクッション材を設けたことを特徴とする請求項１ないし３のいずれかに記載の捕り物具。
【請求項５】
左右のアームの前方部分を後方の中心方向に向けて傾斜する状態に折り返す第一折り返し辺の前面に、滑り加工を施したことを特徴とする請求項１ないし４のいずれかに記載の捕り物具。
【発明の詳細な説明】
【技術分野】
【０００１】
本発明は、刺股型の捕り物具に関する発明である。
【背景技術】
【０００２】
近年、学校やコンビニエンスストアなどに侵入して生徒や教師、店員など、無防備な一般人に危害を加える事件が多発している。特に、刃物や棒などの武器を所持した犯人を取り押さえることは困難であるとともに、極めて危険である。
古くから日本には、刺股と称する捕り物具が知られている。公知の刺股を改良した捕り物具として、特許文献１には、刺股型の捕り物道具の発明が開示されている。
【０００３】
公知の刺股は、長い柄の先端に鉄製の二股をつけたもので、離れた所から賊の首を押さえつけて捕まえるように使用するもので、主として壁面などを背にした賊に対して有効な捕り物具である。
特許文献１に記載された捕り物具は、壁面などがない場合の賊に対しても、有効なように、半環状の右半環状体と左半環状体とで開閉自在の状態に構成し、二つの半環状体によって賊を捕らえるようにしたものである。二つの半環状体は、解放方向に付勢してあるとともに、長竿の先端から突出している突出部を賊に押し付けることによって半環状体が閉じ、閉じた状態でロックされるものである。
【特許文献１】特開２０００−２３０８００号公報
【発明の開示】
【発明が解決しようとする課題】
【０００４】
古来より公知の刺股は、柄の先端に設けた二股が常に解放状態にあるため、強い力で賊を壁面などに押え続けなければ捕らえることが出来ず、女性や子供といった非力な者では使用することができなかった。また、特許文献１に記載された発明では、二つの半環状体を環状に閉じることによって賊を捕らえるものであるが、賊が暴れた場合には逃げられる可能性がある。すなわち、捕らえられた賊が暴れた場合の力がそのまま、閉じている半環状体を開く力として作用し、必ずしもロック状態を維持することができない。仮に、確実なロック状態を維持したとしても、半環状体そのものの撓みや弾性変形によって逃げられる可能性が大きい。撓みや弾性変形を生じない半環状体とするには、頑丈な鉄製などとする必要があり、非力な女性や子供が素早く取り扱うことは困難なものとなる。
上記従来技術の欠点に鑑み、本発明は学校の教室や商店の片隅に常備しておき、賊や不審者を離れた位置から捕らえることができる、手軽で効果的な捕り物具を提供することを目的とするものである。また、本発明に係る捕り物具は、使用者が賊を完全に取り押さえるのではなく、賊を捕らえた捕り物具が容易に脱落せず、使用者が安全のために退避した場合であっても、不審者の行動が制限されるような捕り物具を提供することを目的とするものである。
【課題を解決するための手段】
【０００５】
上記目的を達成するため、本発明に係る捕り物具は、長い柄杆１の先端に捕り物具本体２を装着して使用する。また、アーム状に形成する捕り物具本体２は、比較的軽量で弾性を有する線材や板材(帯鋼など)を利用する。すなわち、請求項１記載の発明は、バネ材など弾性を有する線材もしくは板材で形成し左右両側から前方に向けて突出させたアームの前方部分を後方の中心方向に向けて傾斜する状態に折り返して第一折り返し辺５，６を形成する。そして、左右両側から折り返した第一折り返し辺５，６が、捕らえようとする対象の大きさよりも狭く接近した位置で、先端部を側方に向けて折り返して第二折り返し辺７，８を形成する。また、第二折り返し辺７，８の表面に滑り止め手段を形成する。
【０００６】
請求項２記載の発明は、第二折り返し辺７，８の折り返し方向が、真横方向よりも後方に向けて傾斜する角度で形成すること、請求項３記載の発明は、第一折り返し片５，６を細幅に形成して撓み易く形成すること。請求項４記載の発明は、第二折返し片７，８の先端を内側に湾曲させるとともに、捕り物具本体の内面にクッション材を設けること、請求項５記載の発明は、左右のアームの前方部分を後方の中心方向に向けて傾斜する状態に折り返す第一折り返し辺５，６の前面に、滑り加工を施すことである。
【発明の効果】
【０００７】
請求項１記載の本発明捕り物具によれば、左右両側から前方に向けて突出させたアームの間を賊に向けて押し付けると、アーム自体が弾性によって広がりながら第一折り返し辺５，６の傾斜に沿って賊が内方に誘導され、捕らえようとする対象の大きさよりも狭く接近させてある位置を通過してアームの第一折り返し辺５，６よりも内側に入り込む。この状態で、賊が外に逃げようとして第一折り返し辺５，６が内側から外側(前方)に押されると、右アーム３及び左アーム４は弾性によって多少外側に広がる可能性はある。しかしながら、第一折り返し辺５，６の先端部に内側から前方に向けて作用する力は、第一折り返し辺５，６の角度を傾斜方向から真横方向に変化するため、左右のアームに形成した第一折り返し辺５，６の先端が接近し、もしくは大きく広がることがないため、賊が逃げ出すことができない。
【０００８】
すなわち、第二折り返し辺７，８の表面に滑り止め手段を形成しているため、賊Ａがアームの第二折り返し辺部分を押したときに、第二折り返し辺が滑らないために広がりが防止され、賊Ａの拘束状態を維持することになる。
【０００９】
請求項２記載の発明によれば、本発明に係る捕り物具を賊に押し付けて右アーム３と左アーム４の間に拘束したとき、内部において賊Ａの移動範囲が制限され、常時第二折り返し辺の表面が賊Ａに接触しているような状態を実現し、右アームと左アームの間隔をより一層広げさせない効果がある。
【００１０】
請求項３記載の発明によれば、第一折り返し片を撓み易く形成するため、捕り物具本体を賊Ａに向けて押し付けた場合に、女性や子供のように力の弱い者であっても賊Ａを容易に拘束することができる。
【００１１】
請求項４記載の発明によれば、拘束した賊Ａに怪我、傷を負わせることなく拘束することができる。また、請求項５記載の発明によれば、第一折り返し片５，６の前面に滑り加工を施したことによって、賊Ａに捕り物具本体を押し付けたときに、押し付ける力が右アーム３と左アーム４を広げる力として有効に作用し、より確実に賊Ａを捕り物具本体の内側に取り込むことができる。
【発明を実施するための最良の形態】
【００１２】
以下、本発明に係る捕り物具の、好ましい実施形態を添付の図面に基づいて説明する。
図１は捕り物具全体の正面図、図２は使用状態における変化を示す捕り物具本体部分のみの正面図である。
【００１３】
図１に示す第一実施形態の捕り物具は、長寸法の柄杆１の先端に一体に形成した捕り物具本体２を固定している。捕り物具本体２は、帯鋼のような一定幅の板材で一体に形成している。すなわち、左右対称的に折曲加工することによって、右アーム３と左アーム４を形成している。右アーム３及び左アーム４は、一定幅の横辺3a，4a部分から前方に折曲して縦辺3b，4bを形成し、先端部分を内向きかつ後方に向けて傾斜する第一折り返し辺５，６を形成する。
【００１４】
さらに、左右のアームの第一折り返し辺５及び６の先端が接近した位置において、先端を第一折り返し辺の後方側に折曲して第二折り返し辺７，８を形成する。第二折り返し辺７，８の傾斜方向は、真横方向もしくは図示例のように後方に向けて傾斜させる。
なお、第二折り返し片７，８の先端は内側、すなわち上方に向けて湾曲部7a，8aを形成するとともに、捕り物具本体の内面にクッション材11を貼設し、拘束した賊に怪我を負わせないように配慮している。
【００１５】
第一折り返し辺の折り返し角度αは、ある程度小さな角度であって、賊Ａを押し付けたときに内方に誘導され易い角度とする。すなわち、角度αは少なくとも鋭角としておく。また、第二折り返し辺７，８は、後方に向けて傾斜させるものであるが、その折り返し角度βは前記第一折り返し辺の折り返し角度αと関連する。しかしながら、真横方向から大きく後方への傾斜させる必要はなく、少なくとも内部に拘束した賊Ａの側方への移動をできるだけ阻止できる範囲で設定する。
【００１６】
捕り物具本体２は、全体をある程度頑丈なものとし、賊によって簡単に破損されないものであることが必要である。一方、これを利用する場合に、できるだけ力の弱い者でも確実に賊Ａを拘束することができるようにするのが望ましい。この相反する要求を満足させるために、図４に示す実施形態では、第一折り返し片５や６を細幅とし撓み易く形成している。また、アームの縦片3b，4bの上部に長孔12を穿設し、この長孔12を設けた範囲をより一層撓み易く形成する。これにより、捕り物具本体２を賊に押し付けた場合に、左右アームの縦片3b，4bの撓みと、細幅とした第一折り返し片５，６の撓みの相乗効果によって、小さな力でもアームの間隔が大きく広げられることになる。
【００１７】
上記構成による捕り物を図２に基づいて説明する。
賊が侵入した非常事態に際して、図２(ａ)に示すように、捕り物具本体２の前端部分を賊Ａに向けて押し付ける。すると、賊Ａが第一折り返し辺５，６の前面に当たり、押し付ける力が右アーム３及び左アーム４を左右に広げる力として作用し、点線位置にある左右のアーム３、４が弾性によって実線位置に開く。左右のアームの縦片3b，4bと第一折り返し片５，６の角度は静止時の角度αよりも狭い角度α”となって左右アームの開きを助長する。左右のアームが大きく開くと、左右の第一折り返し辺先端の間隔が大きくなって、図２(ｂ)に示すように捕り物具本体２の内方に賊Ａを取り込む。賊Ａが左右のアームの内方に取り込まれると、左右のアームが弾性によって閉じ、賊Ａが自由に出られない状態に捕捉する。
【００１８】
図２の(ｂ)に示す状態から、賊Ａが逃げ出そうとして第一折り返し辺５，６の先端部分が前方に押されると、図２の(ｃ)に示すように点線位置にある左右のアームが、実線位置のように広げられる。しかしながら、右アーム３及び左アーム４が外向きに傾くとともに角度αがα’のように大きくなるため、第一折り返し辺５及び６が真横方向に近づく方向に傾斜角度が変化する。特に、第一折り返し辺に対しては先端を前方に押し出すように力が作用する結果、弾性変化によって第一折り返し辺の折曲角度αが大きな角度α’に変化し、第一折り返し辺の隙間がより一層小さくなるように作用し、第一折り返し辺５と６の間隔は大きく開かない。特に、第二折り返し辺７，８の表面に滑り止め手段を形成していることによって、該部分が賊Ａ、例えば賊の着衣との間の滑りを防止し、右アーム３と左アーム４の間隔が広がるのをより一層効果的に防止する。
【００１９】
このとき、図示実施形態においては、第二折り返し辺７，８の傾斜角度を後方に向けて傾斜させているため、拘束した賊Ａの捕り物具本体２内部での移動可能な範囲が狭い範囲に制限され、賊Ａの着衣などと第二折り返し辺の滑り止め手段とが常時接触している状態となり、右アーム３と左アーム４の広がりを一層効果的に防止することができる。
【００２０】
上記の記載において、賊Ａと表現した捕捉対象は、賊の身体のいずれの部分であってもよく、捕り物具全体の大きさによるが、賊の胴部だけでなく脚部や、刃物や棒などの武器を持った腕部を捕捉対象とするものであってもよい。脚部や腕部を捕捉対象とする場合は、捕り物具全体の大きさをある程度小さなものとし、女性や子供でも容易に取り扱うことができる。そして、仮に捕り物具を賊に押し付けた状態で手を離したとしても、捕り物具そのものを取り外すのが困難で、賊の素早い動きを封じる効果がある。
【００２１】
図３は、本発明に係る捕り物具の別の実施形態を示す右アーム３の先端部分のみの拡大図である。この実施形態では、第二折り返し辺７の表面に滑り止め層９を設けることによって滑り止め手段を形成するとともに、第一折り返し辺５の表面、具体的には前面に滑り加工を施している。
第一折り返し辺の前面に滑り加工を施した場合、第一折り返し辺を賊に押圧した際に、抵抗が少なく、押圧力がそのままアームを広げる力として作用し、賊を円滑に捕捉することができる。
【００２２】
第二折り返し辺７，８に施す滑り止め手段は、特に限定されるものではないが、例えば表面全体に、全周にわたってゴム質の滑り止め層を塗布する他、表面に多数の突起を形成したゴム質の滑り止めテープの貼着によって滑り止め層９を形成することによって実現することができる。また、第一折り返し辺の前面に滑り加工を施すには、全周にフロン加工を施す他、前面に滑りテープを貼着することによって滑り層10を形成することによって実施することができる。
【図面の簡単な説明】
【００２３】
【図１】図１は、本発明の実施形態を示す正面図、
【図２】図２は、図１に示す実施形態の作動状態を示す捕り物具本体部分の正面図、
【図３】図３は、別の実施形態を示す右アームの先端部分のみの拡大図。
【図４】図４は、図１のIV−IV線断面図。
【符号の説明】
【００２４】
１…柄杆、  ２…捕り物具本体、  ３…右アーム、  ４…左アーム、  3a，4a…横辺、    3b，4b…縦辺、  ５，６…第一折り返し辺、  ７，８…第二折り返し辺、  7a，8a…湾曲部、  ９…滑り止め層、  10…滑り層、  11…クッション材、  12…長孔、  Ａ…賊。
【図１】
2006343068.tif 000003
【図２】
2006343068.tif 000004
【図３】
2006343068.tif 000005
【図４】
2006343068.tif 000006